(57)【要約】      （修正有）【課題】水槽の砂利底に入れて、濾過器と接続して使用するフィルターの上部全面から均一に水を吸わせて、砂利による濾過効果と、砂利内で繁殖した好気性バクテリアの有機物分解効果で、水を浄化させ、砂利上の魚の糞などの浮遊物を、フィルター内に溜まらない様に濾過器へ送り、水槽内を、清らかな状態に保つようにする。【解決手段】フィルター内全体に水流を作る為に、水路を、一筆書きが出来る様に組んだ形に作った箱６の蓋７に、水路に沿って穴３を開け、濾過器に接続する為のパイプ４と、水槽内の浮遊物を吸い込む為のパイプ５を取り付けて、フィルターを作り、使用する時に水槽に入れて、浮遊物を吸い込む為のパイプ５に、ストレーナー８を付けて、接続パイプ４に、繋ぎのパイプ１１で、濾過器の吸水パイプ９に接続して、フィルターのストレーナー８が出る様に、フィルターが埋まるまで、水槽に砂利を敷いて使用する。【選択図】図３
2006345836.tif 000002
【特許請求の範囲】
【請求項１】
水路の蓋に、水路に沿って水を吸い込む為の穴を開けて、水路の一方に、濾過器と接続する為のパイプを取り付けて、他方に、水槽内の浮遊物を吸い込む為のパイプを取り付けて、パイプの先端に、ストレーナーを付けた、水浄化フィルター
【請求項２】
請求項１の水路を、一筆書きが出来る様に組んだ形の水浄化フィルター
【発明の詳細な説明】
【技術分野】
【０００１】  本発明は、水槽の砂利底に入れて濾過器に接続して使用するフィルターに、砂利で水を濾過しながら、水槽内の魚の糞などの浮遊物を取り除ける様にする為に、水路を利用して作ったフィルターである。
【背景技術】
【０００２】  従来、水槽の底面に入れる、観賞魚用の水浄化フィルターは、箱の蓋の形をした物に、多数の穴を開けて、濾過器に接続する為のパイプを取り付けた物で、使用する時に、水槽に入れて、フィルターが埋まるまで水槽に砂利を敷いて、濾過器と接続し、濾過器を運転して、砂利で水を濾過しながら、吸い込んだ水を濾過器へ送り、水槽内の水を浄化する様にした物である。（特許文献は、似た様な物が、検索できませんでした。）
【発明の開示】
【発明が解決しようとする課題】
【０００３】  従来の技術では、フィルターに開けた水を吸い込む為の穴が、多すぎるのと、フィルター内部全体に水流が出来ない為に、フィルターと、濾過器との接続パイプ入り口周辺の穴からは、水の吸い込みがあるが、接続パイプ入り口から離れて行くと、穴からの水の吸い込みが無くなる。その為砂利による濾過効果は、接続パイプ入り口周辺に限られてしまい、フィルター上部全面からの砂利による濾過効果は得られない、また、有機物を分解してくれる好気性バクテリアが、砂利内で、繁殖できる範囲も、酸素を含んだ水が供給される、接続パイプ入り口周辺に限られてしまう。そして、接続パイプ入り口から離れた所の穴から、砂利底に溜まった沈殿物が、フィルター内に落ちても、フィルター内部全体の水流が無い為に、取り除く事が出来ないので、フィルター内に溜まって腐敗してしまう。そして、水の吸い込み口が、砂利の下にしか無いので、水槽内の魚の糞などの浮遊物を取り除く事が出来ないので、溜まった糞などの浮遊物で、水槽内が汚れてしまう。
【課題を解決するための手段】
【０００４】  この課題を解決するための請求項１の発明は、水路を利用して、水路の一方に濾過器と接続する為のパイプを取り付け、他方に、水槽の砂利上に突き出して、魚の糞などの浮遊物を吸い込む為のパイプを取り付けて、パイプの先端にストレーナーを付ける。そして、水路の蓋に、水路に沿って砂利で濾過した水を吸い込む為の穴を開ける。この様な形に作ったフィルターを、水槽の砂利底に入れて、濾過器と接続して、濾過器を運転すれば、フィルター上部全面の砂利内に、酸素を含んだ水を供給しながら、フィルター上部の穴から砂利で濾過した水を、均等に吸い込む事が出来て、水路に落ちた沈殿物は、水路の水流で濾過器へ送られるので、フィルター内に溜まらない。そして、砂利上に突き出した、ストレーナーを付けたパイプから、魚の糞などの浮遊物が吸い込まれて、水路を通って濾過器に送られるので、水槽内を、清らかな状態に保つことが出来る。【０００５】  また、請求項２の発明は、水路を、一筆書きが出来る様に組んだ形のフィルターで、長い水路を、水槽に納まる様に、小さくまとめて、広い範囲の砂利内に、酸素を含んだ水を供給しながら、砂利による濾過効果を、得る事が出来る。
【発明の効果】
【０００６】  本発明により、フィルター上部全面の砂利からの濾過効果が得られて、砂利内に一定の水流が出来る為、好気性バクテリアの餌になる有機物や、酸素を含んだ水が、常に供給されるので、砂利内で、繁殖した好気性バクテリアの有機物分解効果で、水が浄化され、砂利上に突き出したストレーナーを付けたパイプから、水槽内の魚の糞などの浮遊物が、フィルター内に吸い込まれて、水路の水流によって、濾過器へ送られて、除去されるので、水槽の水を清らかな状態に保つ事が出来る。【０００７】  また、水路を、一筆書きが出来る様に組んだ形にフィルターを作れば、長い水路を水槽に納まる様に、いろいろな形に組んで、小さくまとめて、広い範囲の砂利からの濾過効果と、砂利内で、繁殖した好気性バクテリアの有機物分解効果を、得る事が出来る。
【発明を実施するための最良の形態】
【０００８】  図１は、水路を利用したフィルターの平面図であり、透光性を有するプラスチックで、水路の形に作った箱１の蓋２に、水路に沿って穴３を開けて、濾過器に接続する為のパイプ４と、水槽内の浮遊物を吸い込む為のパイプ５を取り付けて、箱１と蓋２を貼り合わせて、フィルターを作り、使用する時に、図２に示すように、水槽に入れて、フィルター内の空気を抜き、浮遊物を吸い込む為のパイプ５に、ストレーナー８を付けて、接続パイプ４に、繋ぎのパイプ１０で、濾過器の吸水パイプ９と接続して、フィルターのパイプが出る様に、フィルターが埋まるまで、水槽に砂利を敷いて、使用する。【０００９】  図３は、水路を、一筆書きが出来る様に組んだ形のフィルターの平面図であり、透光性を有するプラスチックで、水路を、一筆書きが出来る様に組んだ形に作った箱６の蓋７に、水路に沿って穴３を開けて、濾過器に接続する為のパイプ４と、水槽内の浮遊物を吸い込む為のパイプ５を取り付けて、箱６と蓋７を貼り合わせて、フィルターを作り、使用する時に、図６に示すように、水槽に入れて、フィルター内の空気を抜き、浮遊物を吸い込む為のパイプ５に、ストレーナー８を付けて、接続パイプ４に、繋ぎのパイプ１１で、濾過器の吸水パイプ９と接続して、フィルターのパイプが出る様に、フィルターが埋まるまで、水槽に砂利を敷いて、使用する。【００１０】  このフィルターの材料は、フィルター内の汚れ具合が見える様に、透光性を有するプラスチックで、形成することが、望ましい。
【産業上の利用可能性】
【００１２】  本発明に係るフィルターは、工業的に量産する事が可能である為、産業上の利用可能性を有する。
【図面の簡単な説明】
【００１３】
【図１】  ストレーナーを付ける前の、水路を利用したフィルターの平面図である。
【図２】  水路を利用したフィルターの使用例の、正面図である。
【図３】  ストレーナーを付ける前の、水路を、一筆書きが出来る様に組んだ形のフィルターの平面図である。
【図４】  水路を、一筆書きが出来る様に組んだ形のフィルターの平面図縦断面図である。
【図５】  ストレーナーを付ける前の、水路を、一筆書きが出来る様に組んだ形のフィルターの正面図である。
【図６】  水路を、一筆書きが出来る様に組んだ形のフィルターの使用例の、左側面図である。
【符号の説明】
【００１４】  １      水路の形に作った箱。
２      水路の形に作った箱の蓋。
３      砂利で濾過した水を吸い込む為の穴。
４      濾過器に接続する為のパイプ。
５      水槽内の浮遊物を吸い込む為のパイプ。
６      水路を一筆書きが出来る様に組んだ形に作った箱。
７      水路を一筆書きが出来る様に組んだ形に作った箱の蓋。
８      浮遊物を吸い込む為のパイプに付ける、ストレーナー。
９      濾過器の吸水パイプ。
１０    水路を利用したフィルターの接続パイプと、濾過器の吸水パイプとの、繋ぎのパイプ。
１１    水路を、一筆書きが出来る様に組んだ形のフィルターの接続パイプと、濾過器の吸水パイプとの、繋ぎのパイプ。
【図１】
2006345836.tif 000003
【図２】
2006345836.tif 000004
【図３】
2006345836.tif 000005
【図４】
2006345836.tif 000006
【図５】
2006345836.tif 000007
【図６】
2006345836.tif 000008
【手続補正書】
【提出日】平成17年6月14日(2005.6.14)
【手続補正１】
【補正対象書類名】特許請求の範囲
【補正対象項目名】全文
【補正方法】変更
【補正の内容】
【特許請求の範囲】
【請求項１】
水路の蓋に、水路に沿って水を吸い込む為の穴を開けて、水路の一方に、濾過器と接続する為のパイプを取り付けて、他方に、水槽内の浮遊物を吸い込む為のパイプを取り付けて、パイプの先端に、ストレーナーを付けた、水浄化フィルター。
【請求項２】
請求項１の水路を、一筆書きが出来る様に組んだ形の水浄化フィルター。
【手続補正２】
【補正対象書類名】明細書
【補正対象項目名】０００３
【補正方法】変更
【補正の内容】
【０００３】  従来の技術では、フィルターに開けた水を吸い込む為の穴が、多すぎるのと、フィルター内部全体に水流が出来ない為に、フィルターと、濾過器との接続パイプ入り口周辺の穴からは、水の吸い込みがあるが、接続パイプ入り口から離れて行くと、穴からの水の吸い込みが無くなる。その為に、砂利による濾過効果は、接続パイプ入り口周辺に限られてしまい、フィルター上部全面からの砂利による濾過効果は得られない。また、有機物を分解してくれる好気性バクテリアが、砂利内で、繁殖できる範囲も、酸素を含んだ水が供給される、接続パイプ入り口周辺に限られてしまう。そして、接続パイプ入り口から離れた所の穴から、砂利底に溜まった沈殿物が、フィルター内に落ちても、フィルター内部全体の水流が無い為に、取り除く事が出来ないので、フィルター内に溜まって腐敗してしまう。そして、水の吸い込み口が、砂利の下にしか無いので、水槽内の魚の糞などの浮遊物を取り除く事が出来ないので、溜まった糞などの浮遊物で、水槽内が汚れてしまう。
【手続補正３】
【補正対象書類名】明細書
【補正対象項目名】００１２
【補正方法】変更
【補正の内容】
【００１２】  本発明に係るフィルターは、工業的に量産する事が可能である為、産業上の利用可能性を有する。
【手続補正４】
【補正対象書類名】明細書
【補正対象項目名】００１３
【補正方法】変更
【補正の内容】
【００１３】
【図１】ストレーナーを付ける前の、水路を利用したフィルターの平面図である。
【図２】水路を利用したフィルターの使用例の、正面図である。
【図３】ストレーナーを付ける前の、水路を、一筆書きが出来る様に組んだ形のフィルターの平面図である。
【図４】図３を、Ａ−Ａ´で、切断した断面図である。
【図５】ストレーナーを付ける前の、水路を、一筆書きが出来る様に組んだ形のフィルターの正面図である。
【図６】水路を、一筆書きが出来る様に組んだ形のフィルターの使用例の、左側面図である。
【手続補正５】
【補正対象書類名】明細書
【補正対象項目名】００１４
【補正方法】変更
【補正の内容】
【００１４】  １      水路の形に作った箱。  ２      水路の形に作った箱の蓋。  ３      砂利で濾過した水を吸い込む為の穴。  ４      濾過器に接続する為のパイプ。  ５      水槽内の浮遊物を吸い込む為のパイプ。  ６      水路を、一筆書きが出来る様に組んだ形に作った箱。  ７      水路を、一筆書きが出来る様に組んだ形に作った箱の蓋。  ８      浮遊物を吸い込む為のパイプに付ける、ストレーナー。  ９      濾過器の吸水パイプ。  １０    水路を利用したフィルターの接続パイプと、濾過器の吸水パイプとの、繋ぎのパイプ。  １１    水路を、一筆書きが出来る様に組んだ形のフィルターの接続パイプと、濾過器の吸水パイプとの、繋ぎのパイプ。
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
水路の蓋に、水路に沿って水を吸い込む為の穴を開けて、水路の一方に、濾過器の吸水パイプと接続する為の取り付け口を付けて、他方に、水槽内の浮遊物を吸い込む為の吸い込み口を付けて、吸い込み口の先端に、ストレーナーを付けた、水浄化フィルター。
【請求項２】
請求項１の水路を、一筆書きが出来る様に組んだ形の水浄化フィルター。
【手続補正２】
【補正対象書類名】明細書
【補正対象項目名】全文
【補正方法】変更
【補正の内容】
【発明の詳細な説明】
【技術分野】
【０００１】  本発明は、水槽の砂利底に入れて濾過器に接続して使用するフィルターに、砂利で水を濾過しながら、水槽内の魚の糞などの浮遊物を取り除ける様にする為に、水路を利用して作ったフィルターである。
【背景技術】
【０００２】  従来、水槽の底面に入れる、観賞魚用の水浄化フィルターは、箱の蓋の形をした物に、多数の穴を開けて、濾過器の吸水パイプと接続する為の取り付け口を付けた物で、使用する時に、水槽に入れて、フィルターが埋まるまで水槽に砂利を敷いて、濾過器の吸水パイプと接続し、濾過器を運転して、砂利で濾過された水が、濾過器へ送られて、水槽内の水を浄化する様にした物である。（特許文献は、似た様な物が、検索できませんでした。）
【発明の開示】
【発明が解決しようとする課題】
【０００３】  従来の技術では、フィルターに開けた水を吸い込む為の穴が、多すぎるのと、フィルター内部全体に水流が出来ない為に、フィルターと、濾過器の吸水パイプとの接続口周辺の穴からは、水の吸い込みがあるが、接続口から離れて行くと、穴からの水の吸い込みが無くなる。その為に、砂利による濾過効果は、接続口周辺に限られてしまい、フィルター上部全面からの砂利による濾過効果は得られない。また、有機物を分解してくれる好気性バクテリアが、砂利内で、繁殖できる範囲も、酸素を含んだ水が供給される、濾過器の吸水パイプとの接続口周辺に限られてしまう。そして、接続口から離れた所の穴から、砂利底に溜まった沈殿物が、フィルター内に落ちても、フィルター内部全体の水流が無い為に、取り除く事が出来ないので、フィルター内に溜まって腐敗してしまう。そして、水の吸い込み口が、砂利の下にしか無いので、水槽内の魚の糞などの浮遊物を取り除く事が出来ない為、溜まった糞などの浮遊物で、水槽内が汚れてしまう。
【課題を解決するための手段】
【０００４】  この課題を解決するための請求項１の発明は、水路を利用して、水路の一方に濾過器の吸水パイプと接続する為の取り付け口を付け、他方に、水槽の砂利上に突き出して、魚の糞などの浮遊物を吸い込む為の吸い込み口を取り付けて、吸い込み口の先端にストレーナーを付ける。そして、水路の蓋に、水路に沿って砂利で濾過した水を吸い込む為の穴を開ける。この様な形に作ったフィルターを、水槽の砂利底に入れて、濾過器の吸水パイプと接続して、濾過器を運転すれば、フィルター上部全面の砂利内に、酸素を含んだ水を供給しながら、フィルター上部の穴から砂利で濾過した水を、均等に吸い込む事が出来て、水路に落ちた沈殿物は、水路の水流で濾過器へ送られるので、フィルター内に溜まらない。そして、砂利上に突き出した、ストレーナーを付けた吸い込み口から、魚の糞などの浮遊物が吸い込まれて、水路を通って濾過器へ送られるので、水槽内を、清らかな状態に保つことが出来る。【０００５】  また、請求項２の発明は、水路を、一筆書きが出来る様に組んだ形のフィルターで、長い水路を、水槽に納まる様に、小さくまとめて、広い範囲の砂利内に、酸素を含んだ水を供給しながら、砂利による濾過効果を、得る事が出来る。
【発明の効果】
【０００６】  本発明により、フィルター上部全面の砂利からの濾過効果が得られて、砂利内に一定の水流が出来る為、好気性バクテリアの餌になる有機物や、酸素を含んだ水が、常に供給されるので、砂利内で、繁殖した好気性バクテリアの有機物分解効果で、水が浄化され、砂利上に突き出したストレーナーを付けた吸い込み口から、水槽内の魚の糞などの浮遊物が、フィルター内に吸い込まれて、水路の水流と濾過器の吸水力によって、濾過器へ送られて、除去されるので、水槽の水を清らかな状態に保つ事が出来る。【０００７】  また、水路を、一筆書きが出来る様に組んだ形にフィルターを作れば、長い水路を水槽に納まる様に、いろいろな形に組んで、小さくまとめて、広い範囲の砂利からの濾過効果と、砂利内で、繁殖した好気性バクテリアの有機物分解効果を、得る事が出来る。
【発明を実施するための最良の形態】
【０００８】  図１は、水路を利用したフィルターの平面図であり、透光性を有するプラスチックで、水路の形に作った箱１の蓋２に、水路に沿って穴３を開けて、濾過器の吸水パイプに接続する為のパイプ４と、水槽内の浮遊物を吸い込む為のパイプ５を取り付けて、箱１と蓋２を貼り合わせて、フィルターを作り、使用する時に、図２に示すように、水槽に入れて、フィルター内の空気を抜き、浮遊物を吸い込む為のパイプ５に、ストレーナー８を付けて、接続パイプ４に、繋ぎのパイプ１０で、濾過器の吸水パイプ９と接続して、フィルターのストレーナー８が出る様に、フィルターが埋まるまで、水槽に砂利を敷いて、使用する。【０００９】  図３は、水路を、一筆書きが出来る様に組んだ形のフィルターの平面図であり、透光性を有するプラスチックで、水路を、一筆書きが出来る様に組んだ形に作った箱６の蓋７に、水路に沿って穴３を開けて、濾過器の吸水パイプに接続する為のパイプ４と、水槽内の浮遊物を吸い込む為のパイプ５を取り付けて、箱６と蓋７を貼り合わせて、フィルターを作り、使用する時に、図６に示すように、水槽に入れて、フィルター内の空気を抜き、浮遊物を吸い込む為のパイプ５に、ストレーナー８を付けて、接続パイプ４に、繋ぎのパイプ１１で、濾過器の吸水パイプ９と接続して、フィルターのストレーナー８が出る様に、フィルターが埋まるまで、水槽に砂利を敷いて、使用する。【００１０】  このフィルターの材料は、フィルター内の汚れ具合が見える様に、透光性を有するプラスチックで、形成することが、望ましい。
【産業上の利用可能性】
【００１１】  本発明に係るフィルターは、工業的に量産する事が可能である為、産業上の利用可能性を有する。
【図面の簡単な説明】
【００１２】
【図１】  ストレーナーを付ける前の、水路を利用したフィルターの平面図である。
【図２】  水路を利用したフィルターの使用例の、正面図である。
【図３】  ストレーナーを付ける前の、水路を、一筆書きが出来る様に組んだ形のフィルターの平面図である。
【図４】  図３を、Ａ−Ａ′で、切断した断面図である。
【図５】  ストレーナーを付ける前の、水路を、一筆書きが出来る様に組んだ形のフィルターの正面図である。
【図６】  水路を、一筆書きが出来る様に組んだ形のフィルターの使用例の、左側面図である。
【符号の説明】
【００１３】  １      水路の形に作った箱。
２      水路の形に作った箱の蓋。
３      砂利で濾過した水を吸い込む為の穴。
４濾過器の吸水パイプに接続する為のパイプ。
５      水槽内の浮遊物を吸い込む為のパイプ。
６      水路を、一筆書きが出来る様に組んだ形に作った箱。
７      水路を、一筆書きが出来る様に組んだ形に作った箱の蓋。
８      浮遊物を吸い込む為のパイプに付ける、ストレーナー。
９      濾過器の吸水パイプ。
１０    水路を利用したフィルターの接続パイプと、濾過器の吸水パイプとの、繋ぎのパイプ。
１１    水路を、一筆書きが出来る様に組んだ形のフィルターの接続パイプと、濾過器の吸水パイプとの、繋ぎのパイプ。